(57)【要約】      （修正有）【課題】水の浸透が防がれ、防水機能が達成される水泳用ゴーグルを提供する。【解決手段】水泳用ゴーグルは、本体２と、レンズ３と、クッション部４と、装着ベルトと、を備える。レンズの少なくとも一箇所にはウィンドウ３１が設けられ、ウィンドウには耐水性を有するが気密性ではない防水通気装置が装設される。レンズの内側で泳者が発散した熱気（即ち、極小の水滴である靄）がレンズの外側までスムーズに浸透し、靄が発散されて通気現象が発生し、レンズの外側では靄が冷却凝結されて水滴となり、水滴が大きくなってレンズの内側には逆浸透しなくなる。即ち、凝結した水滴の表面張力の作用により、水分子が互いに引っ張り合って均衡し、水滴がスムーズに脱離してレンズの内側に浸透しなくなる。【選択図】図１Ａ−１Ｂ
0003227332.tif 000002
【実用新案登録請求の範囲】
【請求項１】
本体と、レンズと、クッション部と、装着ベルトと、を備える水泳用ゴーグルであって、前記レンズの少なくとも一箇所にはウィンドウが設けられ、前記ウィンドウには耐水性を有するが気密性ではない防水通気装置が装設され、これによりレンズの内側で泳者が発散した熱気（即ち、極小の水滴である靄）がレンズの外側までスムーズに浸透し、靄が発散されて通気現象が発生し、レンズの外側では靄が冷却凝結されて水滴となり、水滴が大きくなってレンズの内側には逆浸透しなくなり、即ち、凝結した水滴の表面張力の作用により、水分子間が互いに引っ張り合って均衡し、水滴がスムーズに脱離してレンズの内側に浸透しなくなり、これにより水の浸透を防ぎ、防水機能を達成させることを特徴とする水泳用ゴーグル。
【請求項２】
前記防水通気装置は複数の微多孔を有する防水通気膜を少なくとも備え、前記防水通気膜は前記ウィンドウに装設され、これら前記微多孔によりレンズの内側で泳者が発散する熱気がレンズの外側にスムーズに浸透し、これにより靄が発散され、レンズの外側では靄が冷却凝結されて水滴となり、水滴が大きくなってこれら前記微多孔からレンズの内側に逆浸透しなくなり、防水機能を達成させることを特徴とする請求項１に記載の水泳用ゴーグル。
【請求項３】
前記ウィンドウは視線を妨げないようにレンズの下縁、上縁、または側縁、側縁の上方或いは下方に設けられることを特徴とする請求項２に記載の水泳用ゴーグル。
【請求項４】
前記ウィンドウの周縁には凹部が設けられ、前記防水通気膜の少なくとも一面には前記凹部に対応する箇所に接着領域が設けられ、これにより前記ウィンドウに接着されることを特徴とする請求項３に記載の水泳用ゴーグル。
【請求項５】
前記ウィンドウの周縁には凹部が設けられ、前記防水通気膜の両面には前記凹部に対応する箇所に接着領域が設けられ、これにより前記凹部に接着され、且つ前記防水通気装置には複数の針の穴を有する保護フィルムが更に設けられ、これら前記針の穴の孔径は防水通気膜の微多孔以上であり、前記防水通気膜の接着領域により前記保護フィルムが一体となるように接着されることを特徴とする請求項４に記載の水泳用ゴーグル。
【請求項６】
前記防水通気装置には複数の貫通孔を有するアーチ型保護カバーが更に設けられ、これら前記貫通孔は前記防水通気膜の微多孔より大きく、且つ前記アーチ型保護カバーは前記ウィンドウに対応するようにレンズの外側に覆設されることを特徴とする請求項４または５に記載の水泳用ゴーグル。
【請求項７】
前記防水通気装置はフレーム部及び防水通気膜を備え、前記フレーム部は前記ウィンドウに緊密に装設され、且つ前記フレーム部には組立穴が設けられ、前記防水通気膜は前記組立穴に装設される複数の微多孔を有することを特徴とする請求項１に記載の水泳用ゴーグル。
【請求項８】
前記フレーム部はゴムスリーブであり、前記ゴムスリーブは首部を有し、前記首部の外径は前記ウィンドウの直径よりやや大きく、前記ウィンドウに緊密に装設されることを特徴とする請求項７に記載の水泳用ゴーグル。
【請求項９】
前記ゴムスリーブの首部及び前記ウィンドウの接合箇所には耐水性接着剤が更に塗布されることを特徴とする請求項８に記載の水泳用ゴーグル。
【請求項１０】
前記防水通気装置はフレーム部及び防水通気膜を備え、前記フレーム部は本体及び漏れ止めリングを含み、前記漏れ止めリングには前記ウィンドウの周縁に装設される嵌め溝が設けられ、前記本体には挟持溝が設けられ、レンズの外側から前記漏れ止めリングが挟着されると共に前記ウィンドウに緊密に固定され、且つ前記本体は前記レンズのウィンドウに対応する箇所に組立穴が設けられ、前記防水通気膜は複数の微多孔を有し、前記レンズの内側から前記組立穴に装設されることを特徴とする請求項１に記載の水泳用ゴーグル。
【請求項１１】
前記フレーム部の材質はポリカーボネート樹脂（ＰｏｌｙＣａｒｂｏｎａｔｅ  ｒｅｓｉｎ）であり、前記漏れ止めリングの材質はゴム弾性体であることを特徴とする請求項１０に記載の水泳用ゴーグル。
【請求項１２】
前記フレーム部には前記組み合わせ穴に沿って傾斜環状部が設けられることを特徴とする請求項１０に記載の水泳用ゴーグル。
【請求項１３】
前記防水通気膜の各微多孔の孔径は０．１μｍ乃至０．５μｍの間の範囲であることを特徴とする請求項２、７、及び１０に記載の水泳用ゴーグル。
【請求項１４】
前記防水通気膜としてポリテトラフルオロエチレンが採用され、複数の微多孔は膨化引き伸ばしを経て前記防水通気膜に形成されることを特徴とする請求項１３に記載の水泳用ゴーグル。
【考案の詳細な説明】
【技術分野】
【０００１】
本考案は、水泳用ゴーグルに関し、更に詳しくは、通気防水効果を有する水泳用ゴーグルに関する。
【背景技術】
【０００２】
水泳において人々が最も嫌うのは水泳用ゴーグルに水が入ることと水泳用ゴーグルが曇ることである。一般的には、水泳用ゴーグルが曇る原因は主に水泳用ゴーグルのレンズの外側（水と接触する側）と内側（目に面する側）との温度差にあり、泳者が内側から発散する熱気が外側の低温の水と接触することで温度差が生じ、内側の熱気が瞬間的に蒸発拡散することがないため、内側ですぐに凝結して靄状となる。レンズに形成される靄を克服する従来の方式は、レンズの内側に曇り防止フィルムを貼るか曇り防止処理を施し、或いは曇り防止効果を有する曇り防止板を直接レンズとして採用する。
【考案の概要】
【考案が解決しようとする課題】
【０００３】
しかしながら、どの方式が採用されようとも曇り防止効果しかなく、通気性はないため、予期した効果が得られず、改善の必要があった。
【０００４】
そこで、本考案者は上記の欠点が改善可能と考え、鋭意検討を重ねた結果、合理的設計で上記の課題を効果的に改善する本考案の提案に到った。
【０００５】
かかる従来の実情に鑑みて、本考案は、装着後に目の側に発生する靄を発散させてレンズに凝結させずに曇らせないようにすることにより、通気性及び防水効果を提供することを目的とする。
【課題を解決するための手段】
【０００６】
上記課題を解決するために、本考案のある態様の水泳用ゴーグルは、レンズの少なくとも一箇所にはウィンドウが設けられ、前記ウィンドウには耐水性を有するが気密性ではない防水通気装置が装設される。これにより、レンズの内側で泳者が発散した熱気（即ち、極小の水滴である靄）がレンズの外側までスムーズに浸透し、靄が発散されて通気現象が発生し、レンズの外側では靄が冷却凝結されて水滴となり、水滴が大きくなってレンズの内側には逆浸透しなくなる。即ち、凝結した水滴の表面張力の作用により、水分子間が互いに引っ張り合って均衡し、水滴がスムーズに脱離してレンズの内側に浸透しなくなる。こうして水の浸透が防がれ、防水機能が達成されることを特徴とする。
【０００７】
また、本考案に係る水泳用ゴーグルにおいて、前記防水通気装置は複数の微多孔を有する防水通気膜を少なくとも備え、前記防水通気膜は前記ウィンドウに装設される。
【０００８】
また、本考案に係る水泳用ゴーグルにおいて、前記ウィンドウは視線を妨げないようにレンズの下縁、上縁、または側縁、側縁の上方或いは下方に設けられる。また、前記ウィンドウの周縁には凹部が設けられ、前記防水通気膜は前記凹部に対応する少なくとも一面に接着領域が設けられ、これにより前記ウィンドウに接着される。
【０００９】
また、本考案の他の特徴は、前記防水通気装置には複数の針の穴を有する保護フィルムが更に設けられ、且つ前記針の穴の孔径は防水通気膜の微多孔以上である。
【００１０】
また、本考案のさらなる他の特徴は、前記防水通気装置には複数の貫通孔を有するアーチ型保護カバーが更に設けられ、これら前記貫通孔は前記防水通気膜の微多孔より大きく、且つ前記アーチ型保護カバーは前記ウィンドウに対応するようにレンズの外側に覆設される。
【００１１】
また、本考案の又別の特徴は、前記防水通気装置はフレーム部及び防水通気膜を備える。前記フレーム部は前記ウィンドウに緊密に装設され、且つ前記フレーム部には組立穴が設けられる。前記防水通気膜は前記組立穴に装設される複数の微多孔を有する。
【００１２】
また、本考案に係る水泳用ゴーグルにおいて、前記フレーム部は首部を有するゴムスリーブであり、前記首部の外径は前記ウィンドウの直径よりやや大きく、前記ウィンドウに緊密に装設される。また、前記ゴムスリーブの首部及び前記ウィンドウの接合箇所には耐水性接着剤が更に塗布される。
【００１３】
また、本考案に係る水泳用ゴーグルにおいて、前記フレーム部は本体及び漏れ止めリングを備える。前記漏れ止めリングには前記ウィンドウの周縁に装設される嵌め溝が設けられる。前記本体には挟持溝が設けられ、レンズの外側から前記漏れ止めリングが挟着されると共に前記ウィンドウに緊密に固定される。前記本体は前記レンズのウィンドウに対応する箇所に組立穴が設けられ、前記防水通気膜は前記レンズの内側から前記組立穴に装設される。
【図面の簡単な説明】
【００１４】
【図１Ａ】本考案の第１実施形態による水泳用ゴーグルを示す斜視分解図である。
【図１Ｂ】本考案の第１実施形態による水泳用ゴーグルを示す拡大図である。
【図１Ｃ】本考案の第１実施形態による水泳用ゴーグルの防水フィルムとレンズを組み合わせた部分断面図である。
【図２】本考案の防水通気膜が他の水泳用ゴーグルに組立された傾斜図である。
【図３Ａ】図２に示す水泳用ゴーグルを示す組立フローチャートである。
【図３Ｂ】図２に示す水泳用ゴーグルを示す組立フローチャートである。
【図４Ａ】本考案の第２実施形態による水泳用ゴーグルを示す斜視分解図である。
【図４Ｂ】本考案の第２実施形態による水泳用ゴーグルを示す部分拡大図である。
【図４Ｃ】本考案の第２実施形態による水泳用ゴーグルを示す傾斜組み合わせ図である。
【図４Ｄ】本考案の第２実施形態による水泳用ゴーグルを示す断面図である。
【図４Ｅ】本考案の第２実施形態による水泳用ゴーグルを示す断面図である。
【図４Ｆ】本考案の第２実施形態による水泳用ゴーグルを示す断面図である。
【図５】本考案の第３実施形態による水泳用ゴーグルを示す斜視分解図である。
【図６】本考案の第３実施形態による水泳用ゴーグルを示す傾斜組み合わせ図である。
【図７】本考案の第３実施形態による水泳用ゴーグルを示す断面図である。
【図８】本考案の第４実施形態による水泳用ゴーグルを示す断面図である。
【考案を実施するための形態】
【００１５】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１６】
［第１実施形態］
図１Ａ及び図１Ｂは本考案の第１実施形態に係る水泳用ゴーグルの斜視分解図及び拡大図である。本考案に係る水泳用ゴーグル１は本体２と、レンズ３と、クッション部４と、装着ベルト（図示せず）と、を備える。レンズ３の側縁の下方にはウィンドウ３１が設けられ、前記ウィンドウ３１には防水通気装置６が装設される。前記防水通気装置６は防水通気膜６１を含み、前記防水通気膜６１としてポリテトラフルオロエチレンが採用され、膨化引き伸ばしを経て複数の微多孔６１１が形成される。これら前記微多孔６１１の各微多孔の孔径は０．１μｍ乃至０．５μｍの間の範囲が好ましい。前記防水通気膜６１  の一面の辺縁には接着領域６１２が設けられ、接着領域６１２には接着剤６１３が塗布されているため、前記レンズ３の外側３３から前記ウィンドウ３１に接着される。図１Ｃに示されるように、前記防水通気膜６１のこれら前記微多孔６１１によりレンズ３の内側３２から泳者が発散する熱気（即ち、極小の水滴である靄）がレンズの外側３３にスムーズに浸透し、これにより靄が発散されて通気現象が発生する。反対に、レンズ３の外側３３では靄が冷却凝結されて水滴となり、水滴が大きくなってこれら前記微多孔６１１からレンズ３の内側３２には逆浸透しなくなる。即ち、凝結した水滴の表面張力の作用により、水分子が互いに引っ張り合って均衡し、水滴がスムーズに脱離せずレンズ３の内側３２に浸透しなくなる。こうして水の浸透が防止され、防水機能が達成される。
【００１７】
図２、図３Ａ及び図３Ｂは本考案に係る前記防水通気装置６の防水通気膜６１が他の水泳用ゴーグルに設置される傾斜図及び前記水泳用ゴーグルの組立フローチャートである。図示されるように、前記ウィンドウ３１はレンズ３の側縁に設けられ（図３Ａ参照）、前記ウィンドウ３１の設置位置は水泳用ゴーグルの本体８により遮蔽され、前記本体８には遮蔽穴８１が設けられる（図３Ｂ参照）。本考案に係る前記防水通気装置６の防水通気膜６１は前記ウィンドウ３１に貼着される（図３Ａ参照）。これにより、前記防水通気膜６１のこれら微多孔６１１も同様に防水及び通気効果を達成させる。
【００１８】
［第２実施形態］
また、図４Ａ乃至図４Ｄは本考案に係る水泳用ゴーグルの第２実施形態を示し、図示されるように、本考案に係る水泳用ゴーグル１'は本体２'と、レンズ３'と、クッション部４'と、装着ベルト５'と、を備える。レンズ３'の上縁の側辺にはウィンドウ３１'が設けられ、前記ウィンドウ３１'には防水通気装置６'が装設される。また、前記ウィンドウ３１'の周縁には凹部３１０'が設けられる。前記防水通気装置６'は防水通気膜６１'及び保護フィルム６２'を含み、  前記防水通気膜６１'としてポリテトラフルオロエチレンが採用され、膨化引き伸ばしを経て複数の微多孔６１１'が形成される。これら前記微多孔６１１'の各微多孔の孔径は０．１μｍ乃至０．５μｍの間の範囲が好ましく、前記防水通気膜６１'は前記凹部３１０'に対応する両面の辺縁に接着領域６１２'及び６１３'が設けられる（図４Ｂ参照）。図４Ｄを参照すると、接着領域６１３'により前記レンズ３'の外側３３'から前記ウィンドウ３１'の凹部３１０'に接着される。前記保護フィルム６２'には複数の針の穴６２０'が設けられ、  これら前記針の穴６２０'の孔径は防水通気膜６１'の微多孔６１１'以上であり、  前記防水通気膜６１'の接着領域６１２'により前記防水通気膜６１'と一体となるように接着される。よって、これら前記微多孔６１１'及びこれら前記針の穴６２０'によりレンズ３'の内側３２'で泳者が発散する熱気（即ち、極小の水滴である靄）がレンズの外側３３'にスムーズに浸透し、靄が発散されて通気現象が発生する。反対に、レンズ３'の外側３３'では靄が冷却凝結されて水滴となり、水滴が大きくなってこれら前記微多孔からレンズ３'の内側３２'に逆浸透しなくなる。即ち、凝結した水滴の表面張力の作用により、水分子が互いに引っ張り合って均衡し、水滴がスムーズに脱離しなくなるためレンズ３'の内側３２'に浸透しなくなり、こうして水の浸透が防止され、防水機能が達成される。
【００１９】
また、図４Ｅは図４Ｄのアーチ型保護カバー６３'が前記保護フィルム６２'の外側に更に装設されるものを示す。図示されるように、前記アーチ型保護カバー６３'には複数の貫通孔６３１'及び周辺リップ部６３２'が設けられ、これら前記貫通孔６３１'は前記防水通気膜６１'の微多孔６１１'より大きく、前記周辺リップ部６３２'が前記凹部３１０'に嵌合されることにより、前記防水通気膜６１'及び前記保護フィルム６２'が直接接触して損傷することを防ぐ。同様に、図４Ｆは図４Ｅの前記保護フィルム６２'が削除されたものを図示する。図示されるように、前記アーチ型保護カバー６３'が設置されることにより、前述の前記保護フィルム６２'が省略可能となり、前記アーチ型保護カバー６３'により直接保護されることで前記防水通気膜６１'が直接接触して損傷を被ることがなくなる。
【００２０】
［第３実施形態］
また、図５乃至図７Ａは第３実施形態による本考案に係る水泳用ゴーグルの斜視分解図及び組み合わせ図を示す。図示されるように、本考案に係る水泳用ゴーグル１"は本体２"と、レンズ３"と、クッション部４"と、装着ベルト５"と、を備える。レンズ３"の側縁の側辺にはウィンドウ３１"が設けられ、前記ウィンドウ３１"には防水通気装置６"が装設される。前記防水通気装置６"はフレーム部６０"及び防水通気膜６１"を含み、前記フレーム部６０"はゴムスリーブであり、前記フレーム部６０"には組立穴６０１"及び首部６０２"が設けられる。前記首部６０２"の外径は前記ウィンドウ３１"の直径よりやや大きく、前記ウィンドウ３１"に緊密に装設される（図７参照）。前記防水通気膜６１"としてポリテトラフルオロエチレンが採用され、前記組立穴６０１"に装設され、膨化引き伸ばしを経て複数の微多孔６１１"が形成される。これら前記微多孔６１１"の各微多孔の孔径は０．１μｍ乃至０．５μｍの間の範囲が好ましい。また、前記フレーム部６０"の首部６０２"及び前記ウィンドウ３１の接合箇所には耐水性接着剤が更に塗布される（図示せず）。よって、これら前記微多孔６１１'（図７参照）によりレンズ３"の内側３２"で泳者が発散する熱気（即ち、極小の水滴である靄）がレンズの外側３３"にスムーズに浸透し、靄が発散されて通気現象が発生する。反対に、レンズ３'の外側３３'では靄が冷却凝結されて水滴となり、水滴が大きくなってこれら前記微多孔６１１"からレンズ３"の内側３２"に逆浸透しなくなる。即ち、凝結した水滴の表面張力の作用により、水分子が互いに引っ張り合って均衡し、水滴がスムーズに脱離せずレンズ３"の内側３２"に浸透しなくなり、水の浸透が防がれ、防水機能が達成される。
【００２１】
［第４実施形態］
また、図８は第４実施形態による本考案に係る水泳用ゴーグルの防水通気装置６"の断面図である。図示されるように、前記防水通気装置６"はフレーム部６０"及び防水通気膜６４"を備え、前記フレーム部６０"  は本体６２"及び漏れ止めリング６３"を含む。前記漏れ止めリング６３"の材質はゴム弾性体であり、前記ウィンドウ３１"の周縁に装設される嵌め溝６３１"が設けられる。前記本体６２"  はポリカーボネート樹脂（ＰｏｌｙＣａｒｂｏｎａｔｅ  ｒｅｓｉｎ）であり、挟持溝６２１"が設けられ、レンズ３"の外側３３"から前記漏れ止めリング６３"が挟着されると共に前記ウィンドウ３１"に緊密に固定される。前記本体６２"には前記レンズ３"のウィンドウ３１"に対応するように組立穴６２０"が設けられ、前記本体６２"には前記組み合わせ穴６２０"に沿って傾斜環状部６２２"が設けられ、水の蓄積が防がれる。前記防水通気膜６４"  は第３実施形態と同様に複数の微多孔を有し、前記レンズ３１"の内側３２"から前記組立穴６２０"の一側に接着される。これにより同様に防水及び通気効果を達成させる。
【００２２】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２３】
１  水泳用ゴーグル
１'水泳用ゴーグル
１"水泳用ゴーグル
２  本体
２'本体
２"本体
３  レンズ
３'レンズ
３"レンズ
４  クッション部
４'クッション部
４"クッション部
５'装着ベルト
５"装着ベルト
６  防水通気装置
６'防水通気装置
６"防水通気装置
３１  ウィンドウ
３１'ウィンドウ
３１"ウィンドウ
３２  レンズの内側
３２'レンズの内側
３２"レンズの内側
３３  レンズの外側
３３'レンズの外側
３３"レンズの外側
６１  防水通気膜
６１'防水通気膜
６１"防水通気膜
６１１微多孔
６１１'微多孔
６１１"微多孔
６１２  接着領域
６１２'接着領域
６１３  接着剤
６１３'接着剤
６２'保護フィルム
６２０'針の穴
６３'アーチ型保護カバー
６３１'貫通孔
６３２'リップ部
３１０'凹部
６０"フレーム部
６０１"組立穴
６０２"首部
６２"  本体
６３"  漏れ止めリング
６３１"嵌め溝
６２０"組み合わせ穴
６２１"挟持溝
６２２"傾斜環状部
【図１Ａ−１Ｂ】
0003227332.tif 000003
【図１Ｃ】
0003227332.tif 000004
【図２】
0003227332.tif 000005
【図３Ａ−３Ｂ】
0003227332.tif 000006
【図４Ａ−４Ｂ】
0003227332.tif 000007
【図４Ｃ】
0003227332.tif 000008
【図４Ｄ−４Ｆ】
0003227332.tif 000009
【図５】
0003227332.tif 000010
【図６】
0003227332.tif 000011
【図７−８】
0003227332.tif 000012
【手続補正書】
【提出日】令和1年11月28日(2019.11.28)
【手続補正１】
【補正対象書類名】実用新案登録請求の範囲
【補正対象項目名】全文
【補正方法】変更
【補正の内容】
【実用新案登録請求の範囲】
【請求項１】
本体と、レンズと、クッション部と、装着ベルトと、を備える水泳用ゴーグルであって、前記レンズの少なくとも一箇所にはウィンドウが設けられ、前記ウィンドウには耐水性を有するが気密性ではない防水通気装置が装設され、これによりレンズの内側で泳者が発散した熱気（即ち、極小の水滴である靄）がレンズの外側までスムーズに浸透し、靄が発散されて通気現象が発生し、レンズの外側では靄が冷却凝結されて水滴となり、水滴が大きくなってレンズの内側には逆浸透しなくなり、即ち、凝結した水滴の表面張力の作用により、水分子間が互いに引っ張り合って均衡し、水滴がスムーズに脱離してレンズの内側に浸透しなくなり、これにより水の浸透を防ぎ、防水機能を達成させることを特徴とする水泳用ゴーグル。
【請求項２】
前記防水通気装置は複数の微多孔を有する防水通気膜を少なくとも備え、前記防水通気膜は前記ウィンドウに装設され、これら前記微多孔によりレンズの内側で泳者が発散する熱気がレンズの外側にスムーズに浸透し、これにより靄が発散され、レンズの外側では靄が冷却凝結されて水滴となり、水滴が大きくなってこれら前記微多孔からレンズの内側に逆浸透しなくなり、防水機能を達成させることを特徴とする請求項１に記載の水泳用ゴーグル。
【請求項３】
前記ウィンドウは視線を妨げないようにレンズの下縁、上縁、または側縁、側縁の上方或いは下方に設けられることを特徴とする請求項２に記載の水泳用ゴーグル。
【請求項４】
前記ウィンドウの周縁には凹部が設けられ、前記防水通気膜の少なくとも一面には前記凹部に対応する箇所に接着領域が設けられ、これにより前記ウィンドウに接着されることを特徴とする請求項３に記載の水泳用ゴーグル。
【請求項５】
前記ウィンドウの周縁には凹部が設けられ、前記防水通気膜の両面には前記凹部に対応する箇所に接着領域が設けられ、これにより前記凹部に接着され、且つ前記防水通気装置には複数の針の穴を有する保護フィルムが更に設けられ、これら前記針の穴の孔径は防水通気膜の微多孔以上であり、前記防水通気膜の接着領域により前記保護フィルムが一体となるように接着されることを特徴とする請求項４に記載の水泳用ゴーグル。
【請求項６】
前記防水通気装置には複数の貫通孔を有するアーチ型保護カバーが更に設けられ、これら前記貫通孔は前記防水通気膜の微多孔より大きく、且つ前記アーチ型保護カバーは前記ウィンドウに対応するようにレンズの外側に覆設されることを特徴とする請求項４または５に記載の水泳用ゴーグル。
【請求項７】
前記防水通気装置はフレーム部及び防水通気膜を備え、前記フレーム部は前記ウィンドウに緊密に装設され、且つ前記フレーム部には組立穴が設けられ、前記防水通気膜は前記組立穴に装設される複数の微多孔を有することを特徴とする請求項１に記載の水泳用ゴーグル。
【請求項８】
前記フレーム部はゴムスリーブであり、前記ゴムスリーブは首部を有し、前記首部の外径は前記ウィンドウの直径よりやや大きく、前記ウィンドウに緊密に装設されることを特徴とする請求項７に記載の水泳用ゴーグル。
【請求項９】
前記ゴムスリーブの首部及び前記ウィンドウの接合箇所には耐水性接着剤が更に塗布されることを特徴とする請求項８に記載の水泳用ゴーグル。
【請求項１０】
前記防水通気装置はフレーム部及び防水通気膜を備え、前記フレーム部は本体及び漏れ止めリングを含み、前記漏れ止めリングには前記ウィンドウの周縁に装設される嵌め溝が設けられ、前記本体には挟持溝が設けられ、レンズの外側から前記漏れ止めリングが挟着されると共に前記ウィンドウに緊密に固定され、且つ前記本体は前記レンズのウィンドウに対応する箇所に組立穴が設けられ、前記防水通気膜は複数の微多孔を有し、前記レンズの内側から前記組立穴に装設されることを特徴とする請求項１に記載の水泳用ゴーグル。
【請求項１１】
前記フレーム部の材質はポリカーボネート樹脂（ＰｏｌｙＣａｒｂｏｎａｔｅ  ｒｅｓｉｎ）であり、前記漏れ止めリングの材質はゴム弾性体であることを特徴とする請求項１０に記載の水泳用ゴーグル。
【請求項１２】
前記フレーム部には前記組立穴に沿って傾斜環状部が設けられることを特徴とする請求項１０に記載の水泳用ゴーグル。
【請求項１３】
前記防水通気膜の各微多孔の孔径は０．１μｍ乃至０．５μｍの間の範囲であることを特徴とする請求項２、７、及び１０に記載の水泳用ゴーグル。
【請求項１４】
前記防水通気膜としてポリテトラフルオロエチレンが採用され、複数の微多孔は膨化引き伸ばしを経て前記防水通気膜に形成されることを特徴とする請求項１３に記載の水泳用ゴーグル。
【手続補正２】
【補正対象書類名】明細書
【補正対象項目名】００１４
【補正方法】変更
【補正の内容】
【００１４】
【図１Ａ−１Ｂ】本考案の第１実施形態による水泳用ゴーグルを示す斜視分解図および拡大図である。
【図１Ｃ】本考案の第１実施形態による水泳用ゴーグルの防水フィルムとレンズを組み合わせた部分断面図である。
【図２】本考案の防水通気膜が他の水泳用ゴーグルに組立された傾斜図である。
【図３Ａ−３Ｂ】図２に示す水泳用ゴーグルを示す組立フローチャートである。
【図４Ａ−４Ｂ】本考案の第２実施形態による水泳用ゴーグルを示す斜視分解図および部分拡大図である。
【図４Ｃ】本考案の第２実施形態による水泳用ゴーグルを示す傾斜組み合わせ図である。
【図４Ｄ−４Ｆ】本考案の第２実施形態による水泳用ゴーグルを示す断面図である。
【図５】本考案の第３実施形態による水泳用ゴーグルを示す斜視分解図である。
【図６】本考案の第３実施形態による水泳用ゴーグルを示す傾斜組み合わせ図である。
【図７】本考案の第３実施形態による水泳用ゴーグルを示す断面図および本考案の第４実施形態による水泳用ゴーグルを示す断面図である。
【図８】本考案の第３実施形態による水泳用ゴーグルを示す断面図および本考案の第４実施形態による水泳用ゴーグルを示す断面図である。
【手続補正３】
【補正対象書類名】図面
【補正対象項目名】全図
【補正方法】変更
【補正の内容】
【図１Ａ−１Ｂ】
0003227332.tif 000013
【図１Ｃ】
0003227332.tif 000014
【図２】
0003227332.tif 000015
【図３Ａ−３Ｂ】
0003227332.tif 000016
【図４Ａ−４Ｂ】
0003227332.tif 000017
【図４Ｃ】
0003227332.tif 000018
【図４Ｄ−４Ｆ】
0003227332.tif 000019
【図５】
0003227332.tif 000020
【図６】
0003227332.tif 000021
【図７】
0003227332.tif 000022
【図８】
0003227332.tif 000023